【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
１又はそれ以上のサイトカインの濃度を計測し、計測された濃度と健常人のサイトカインの正常濃度範囲を比べることを含む、個人における疾患状態を決定するための方法であって、該サイトカインとその正常濃度範囲が以下の群から選択される、方法：
サイトカイン 正常範囲
ＩＬ−１７Ａ          約０．０５ｐｇ／ｍｌ〜約０．７ｐｇ／ｍｌ
ＴＮＦ−α            約０．６ｐｇ／ｍｌ〜約２．７ｐｇ／ｍｌ
ＩＬ−１β            約０．０３ｐｇ／ｍｌ〜約０．３ｐｇ／ｍｌ
ＩＬ−１α            約０．０５ｐｇ／ｍｌ〜約０．６ｐｇ／ｍｌ
ＩＬ−１２            約０．０５ｐｇ／ｍｌ〜約１．２ｐｇ／ｍｌ
ＩＬ−４              約０．１ｐｇ／ｍｌ〜約１ｐｇ／ｍｌ
ＩＬ−２              約０．１ｐｇ／ｍｌ〜約２ｐｇ／ｍｌ
ＩＬ−６              約０．５ｐｇ／ｍｌ〜約９ｐｇ／ｍｌ
ＩＬ−７              約０．４ｐｇ／ｍｌ〜約３ｐｇ／ｍｌ
ＩＬ−５              約１．５ｐｇ／ｍｌ〜約１９．５ｐｇ／ｍｌ
ＩＬ−１０            約８ｐｇ／ｍｌ〜約４０ｐｇ／ｍｌ
ＩＬ−１５            約１ｐｇ／ｍｌ〜約４ｐｇ／ｍｌ
ＩＬ−２１            約２ｐｇ／ｍｌ〜約１０ｐｇ／ｍｌ
ＩＬ−２２            約３ｐｇ／ｍｌ〜約４０ｐｇ／ｍｌ
ＭＩＰ−１ａｌｐｈａ  約２２ｐｇ／ｍｌ〜約６５ｐｇ／ｍｌ
Ｇ−ＣＳＦ            約２５ｐｇ／ｍｌ〜約１１０ｐｇ／ｍｌ
ＧＭ−ＣＳＦ          約０．２ｐｇ／ｍｌ〜約１．３ｐｇ／ｍｌ
ＩＦＮγ              約２ｐｇ／ｍｌ〜約７ｐｇ／ｍｌ。
【請求項２】
前記疾患状態が関節リウマチであり、検出されるサイトカイン分子は、ＩＦＮ−γ、ＩＬ−１β、ＴＮＦ−α、Ｇ−ＣＳＦ、ＧＭ−ＣＳＦ、ＩＬ−６、ＩＬ−４、ＩＬ−１０、ＩＬ−５、ＩＬ−７、及びこれらの組合せからなる群から選択される、請求項１に記載の方法。
【請求項３】
前記疾患状態は神経炎症であり、検出されるサイトカインの分子は、ＩＬ−１２、ＧＭ−ＣＳＦ、Ｇ−ＣＳＦ、ＩＬ−６、ＩＬ−１７Ａ、及びこれらの組合せからなる群から選択される、請求項１に記載の方法。
【請求項４】
前記疾患状態はクローン病（ＣＤ）であり、検出されるサイトカインは、ＴＮＦ−α、ＩＦＮ−γ、ＩＬ−１β、ＩＬ−６、ＩＬ−７、ＩＬ−２、ＩＬ−４、ＧＭ−ＣＳＦ、Ｇ−ＣＳＦ、及びこれらの組合せからなる群から選択される、請求項１に記載の方法。
【請求項５】
前記疾患状態は過敏性腸症候群（ＩＢＳ）であり、検出されるサイトカインの分子は、ＴＮＦ−α、ＩＦＮ−γ、ＩＬ−１β、ＩＬ−６、ＩＬ−７、ＧＭ−ＣＳＦ、Ｇ−ＣＳＦ、及びこれらの組合せからなる群から選択される、請求項１に記載の方法。
【請求項６】
前記疾患状態は乾癬性関節炎であり、検出されるサイトカインは、ＧＭ−ＣＳＦ、ＩＬ−１７Ａ、ＩＬ−２、ＩＬ−１０、ＩＦＮ−γ、ＩＬ−６、及びこれらの組合せからなる群から選択される、請求項１に記載の方法。
【請求項７】
前記疾患状態は強直性脊椎炎であり、検出されるサイトカインは、ＩＬ−１β、ＩＬ−２、ＩＬ−５、ＩＬ−６、ＩＬ−７、ＩＬ−１０、ＩＬ−１２、ＩＬ−１５、ＩＬ−１７Ａ、ＴＮＦ−α、ＩＦＮγ、ＧＭ−ＣＳＦ、Ｇ−ＣＳＦ、及びこれらの組合せからなる群から選択される、請求項１に記載の方法。
【請求項８】
前記疾患状態は反応性関節炎であり、検出されるサイトカインは、ＩＬ−１２、ＩＦＮ−γ、ＩＬ−１β、ＩＬ−１７Ａ、ＴＮＦ−α、ＩＬ−４、ＧＭ−ＣＳＦ、ＩＬ−６、及びこれらの組合せからなる群から選択される、請求項１に記載の方法。
【請求項９】
前記疾患状態は腸疾患に基づく関節炎であり、検出されるサイトカインは、ＩＬ−１０、ＩＬ−４、Ｇ−ＣＳＦ、ＩＦＮ−γ、ＴＮＦ−α、及びこれらの組合せからなる群から選択される、請求項１に記載の方法。
【請求項１０】
前記疾患状態は潰瘍性大腸炎（ＵＣ）であり、検出されるサイトカインは、ＩＬ−７、ＩＦＮ−γ、ＴＮＦ−α、ＩＬ−１β、及びこれらの組合せからなる群から選択される、請求項１に記載の方法。
【請求項１１】
前記疾患状態は全身性エリテマトーデスであり、検出されるサイトカインの分子は、ＩＬ−１０、ＩＬ−２、ＩＬ−４、ＩＬ−６、ＩＦＮ−γ、ＩＬ−１７Ａ、及びこれらの組合せからなる群から選択される、請求項１に記載の方法。
【請求項１２】
前記疾患状態は家族性地中海熱（ＦＭＦ）であり、検出されるサイトカインの分子は、Ｇ−ＣＳＦ、ＩＬ−２、ＩＦＮ−γ、ＴＮＦ−α、ＩＬ−１β、及びこれらの組合せからなる群から選択される、請求項１に記載の方法。
【請求項１３】
前記疾患状態は筋萎縮性側索硬化症（ＡＬＳ）であり、検出されるサイトカインの分子は、ＩＬ−１２、ＩＬ−１β、及びこれらの組合せからなる群から選択される、請求項１に記載の方法。
【請求項１４】
前記疾患状態は若年性関節リウマチ（ＪＲＡ）であり、検出されるサイトカインの分子は、ＩＦＮ−γ、ＩＬ−１β、ＴＮＦ−α、Ｇ−ＣＳＦ、ＧＭ−ＣＳＦ、ＩＬ−６、ＩＬ−４、ＩＬ−１０、ＩＬ−５、ＩＬ−７、及びこれらの組合せからなる群から選択される、請求項１に記載の方法。
【請求項１５】
前記疾患状態はシェーグレン症候群であり、検出されるサイトカインの分子は、ＩＬ−１２、ＴＮＦα、ＩＬ−２、ＩＬ−１５、ＩＬ−１７Ａ、ＩＬ−１α、ＩＬ−１β、ＩＬ−６、ＧＭ−ＣＳＦ、及びこれらの組合せからなる群から選択される、請求項１に記載の方法。
【請求項１６】
前記疾患状態は初期の関節炎であり、検出されるサイトカインの分子は、ＩＬ−２、ＩＬ−１２、ＩＬ−１７Ａ、ＴＮＦα、ＩＬ−４、ＩＬ−５、ＩＬ−１０、及びこれらの組合せからなる群から選択される、請求項１に記載の方法。
【請求項１７】
１又はそれ以上のサイトカインとその正常範囲が以下の通りである、請求項１〜１６のいずれか一項に記載の方法：
サイトカイン 正常範囲
ＩＬ−１７Ａ          約０．０６ｐｇ／ｍｌ〜約０．５８ｐｇ／ｍｌ
ＴＮＦ−α            約０．６３ｐｇ／ｍｌ〜約２．６８ｐｇ／ｍｌ
ＩＬ−１β            約０．０５ｐｇ／ｍｌ〜約０．２２ｐｇ／ｍｌ
ＩＬ−１α            約０．０７ｐｇ／ｍｌ〜約０．４８ｐｇ／ｍｌ
ＩＬ−１２            約０．０８ｐｇ／ｍｌ〜約０．９６ｐｇ／ｍｌ
ＩＬ−４              約０．１９ｐｇ／ｍｌ〜約０．７７ｐｇ／ｍｌ
ＩＬ−２              約０．１６ｐｇ／ｍｌ〜約１．５１ｐｇ／ｍｌ
ＩＬ−５              約２．０５ｐｇ／ｍｌ〜約１８．８２ｐｇ／ｍｌ
ＩＬ−６              約０．４８ｐｇ／ｍｌ〜約８．９０ｐｇ／ｍｌ
ＩＬ−７              約０．４２ｐｇ／ｍｌ〜約２．７ｐｇ／ｍｌ
ＩＬ−１０            約１０．１６ｐｇ／ｍｌ〜約３５．２９ｐｇ／ｍｌ
ＩＬ−１５            約１．２４ｐｇ／ｍｌ〜約３．８８ｐｇ／ｍｌ
ＩＬ−２１            約１．８５ｐｇ／ｍｌ〜約９．２６ｐｇ／ｍｌ
ＩＬ−２２            約３．８３ｐｇ／ｍｌ〜約３８．７４ｐｇ／ｍｌ
ＭＩＰ−１ａｌｐｈａ  約２２．２６ｐｇ／ｍｌ〜約５７．７１ｐｇ／ｍｌ
Ｇ−ＣＳＦ            約２４．９１ｐｇ／ｍｌ〜約９６．８５ｐｇ／ｍｌ
ＧＭ−ＣＳＦ          約０．３３ｐｇ／ｍｌ〜約１．１０ｐｇ／ｍｌ
ＩＦＮγ              約２．６６ｐｇ／ｍｌ〜約６．６５ｐｇ／ｍｌ。